Podtech/llm-jp-corpus-v4-ja_patent huggingface dataset:
(57)【要約】
【課題】　多数の紙シートを重ね合わせて構成される厚物のメモ帳の積層端面に任意の画像、文字、記号等を多色でも容易に印刷でき、しかも紙シートの間にインクが浸透してメモ機能を損なうおそれのないメモ帳を提供すること。
【解決手段】　重ね合わせた多数の紙シート２の端縁により形成される積層端面４に、インクジェット方式によって画像、文字、記号等５を印刷して成るメモ帳１である。印刷面となる積層端面４は、一般的には平面であるが、積層した紙シートを斜めに断裁して形成される傾斜面あるいは円弧状の曲面や平面と曲面を組み合わせた凹凸状の面に印刷面することが可能である。
【選択図】　　　図１
0003099309.tif 000002
【実用新案登録請求の範囲】
【請求項１】
　重ね合わせた多数の紙シートの端縁により形成される積層端面に、インクジェット方式によって画像、文字、記号等を印刷して成るメモ帳。
【請求項２】
　前記積層端面が、傾斜面に形成されている請求項１記載のメモ帳。
【請求項３】
　前記積層端面が、円弧状の曲面に形成されている請求項１記載のメモ帳。
【請求項４】
　前記積層端面が、平面と曲面との組み合わせによって形成されている請求項１記載のメモ帳。
【考案の詳細な説明】
【考案の詳細な説明】
【技術分野】
【０００１】　本考案は、多数の紙シートを重ね合わせ、一端縁を糊付けして構成されるメモ帳の積層端面に印刷する技術に関するものである。
【背景技術】
【０００２】　従来、多数の紙シートを重ね合わせた厚いメモ帳、書籍等の積層端面に画像、文字、記号等を印刷する方法としては、パット印刷、シルクスクリーン印刷が主流であった。
【考案が解決しようとする課題】
【０００３】　しかし、インクの転写技術を使用するパット印刷は、インクの欠け、輪郭のにじみ、ひげ等が生じ易く、また、一回の作業で一色の転写しかできないので、多色印刷の場合、色工程ごとに位置合わせを必要とし、位置ずれが生じ易いという問題がある。このようなパット印刷により厚いメモ帳の積層端面に印刷を行なうと、パットを押捺するために紙シートの間にインクが浸透し、メモ機能を損なうばかりでなく、商品価値を無くするおそれがあった。
【０００４】　一方、シルクスクリーン印刷により厚いメモ帳の積層端面に印刷を行なう場合、インクをスクリーンを通じて塗布するため、パット印刷と同様に、インクの欠け、輪郭のにじみ、ひげ等が生じ易く、また、多色印刷における位置ずれの問題があり、紙シートの間にインクが浸透する難点は避けられない。さらに、スクリーンが平面であるため、印刷面が凹凸又は曲面である場合には印刷が行なえない。
【０００５】　本考案は、上記のような問題点を解決したもので、多数の紙シートを重ね合わせて構成される厚物のメモ帳の積層端面に任意の画像、文字、記号等を多色でも容易に印刷でき、しかも紙シートの間にインクが浸透してメモ機能を損なうおそれのないインクジェットプリント方式を採用したメモ帳を提供することを目的とする。
【課題を解決するための手段】
【０００６】　上記目的を達成するために、本考案のメモ帳は、重ね合わせた多数の紙シートの端縁により形成される積層端面に、インクジェット方式によって画像、文字、記号等を印刷して成るものである。
【０００７】　印刷面となる前記積層端面は、一般的には平面であるが、積層した紙シートを斜めに断裁して形成される傾斜面あるいは円弧状の曲面や平面と曲面を組み合わせた凹凸状の面を印刷面とすることが可能である。
【考案を実施するための最良の形態】
【０００８】　以下、本考案の実施の形態を図面に基づいて説明する。【０００９】　図１は、本考案によるメモ帳１を示しており、メモ帳自体は長方形の紙シート２を重ね合わせて、各紙シート２の後端縁３を糊付けした最も一般的なものである。該メモ帳１は、重ね合わせた紙シート２の前端縁より形成される積層端面４に文字５をインクジェット方式により印刷されている。【００１０】　図２は、輪郭形状が円形の紙シート１２を重ね合わせて形成される円弧状に湾曲した曲面の積層端面１４に文字１５をインクジェット方式により印刷した本考によるメモ帳１１を示している。【００１１】　上記のように文字５又は１５がインクジェット方式により印刷されているので、パット印刷、シルクスクリーン印刷のように、インクの欠け、にじみ、ひげ等を生じることがなく、また、重ね合わせた多数の紙シート２又は１２間へのインクの浸透が均一化され、局部的な過度のインク浸透により商品価値を損なうおそれもない。【００１２】　図３は、別の実施形態を示しており、重ね合わせた多数の紙シート２２の前端縁を斜めに断裁して傾斜面に形成したメモ帳２１の傾斜面からなる積層端面２４に文字２５及び写真画像２６がインクジェット方式により印刷されている。【００１３】　図４は、さらに別の実施形態を示しており、四辺形の紙シート３２を多数重ね合わせて積層したメモ帳３１の紙シート３２の前端縁によって形成される平面の積層端面３４と側端縁によって形成される凹曲面の積層端面３５にそれぞれ写真画像３６がインクジェット方式により印刷されている。【００１４】　上述した各実施の形態における印刷は、厚物又は曲げ物に適用できるように製作したインクジェットプリンタを用いて１工程で容易に行なえる。勿論、カラー印刷も１工程で可能である。
【考案の効果】
【００１５】　以上説明したように、本考案のメモ帳は、重ね合わせた多数の紙シートの端縁により形成される積層端面に、画像、文字、記号等がインクジェット方式により鮮明に印刷されるので、販促品として好適である。また、前記積層端面は平面だけでなく、傾斜面、曲面あるいは平面と曲面を組み合わせた凹凸面にも鮮明に印刷が可能で、商品性を高めることができる。しかも、インクが紙シートの間に過度に浸透してメモ機能を損なうこともない。
【図面の簡単な説明】
【図１】　本考案に係るメモ帳の実施形態を示す斜視図である。
【図２】　同上別の実施形態を示す斜視図である。
【図３】　同上別の実施形態を示す図面代用写真による斜視図である。
【図４】　同上別の実施形態を示す図面代用写真による斜視図である。
【符号の説明】
　１，１１，２１，３１　メモ帳
　２，１２，２２，３２　紙シート
　４，１４，２４，３４，３５　積層端面
　５，１５，２５　文字
　２６，３６　写真画像
【図１】
0003099309.tif 000003
【図２】
0003099309.tif 000004
【図３】
0003099309.tif 000005
【図４】
0003099309.tif 000006
(57)【要約】
【課題】分割型変流器において、外部磁界の影響、残留電流、比誤差、位相角誤差を改善し、しかも歩留まりを大幅に向上させて低コスト化を実現した組合せ方式を提供する。
【解決手段】
分割のコアに使用する積層磁片においてコアに使用する磁片は帯状の板を短冊状にカットし製作し、４の奇数倍の磁片から構成し磁片の磁片の両先端部で隣接部材と摺接させることにより、従来の短冊磁片コア方式のコア磁片８枚を使用し８箇所の接触箇所に比べ１／２の接触箇所で閉磁路させたことにより平均透磁率を大幅に向上させることができ外部磁界、残留電流特性、比誤差、位相角誤差の向上を低コストで実現出来るようにした。
【選択図】　図１
0003099308.tif 000002
【実用新案登録請求の範囲】
【請求項１】
　分割型変流器の分割箇所の構造を重ね合わせかんごう方式とした１対のコアにおいて、短冊の磁片を使用した鉄心又はシールドが磁片の１枚当り両端面で磁路を形成する隣接する磁片と面接触をするようにした構造を有する角型式分割型変流器。
【考案の詳細な説明】
【考案の詳細な説明】
【技術分野】
【０００１】　本発明は分割型変流器を低コストでしかも高性能を実現させる構造に関するものである。
【背景技術】
【０００２】　従来はドーナツ状の形状を中心から半割りした構造のものをプレス加工により磁片を作り、これを多数積層させて鉄心としていた。分割箇所は１つの磁片は相手方と面接触させるが磁片のもう一方側は櫛状の分割面の凹部分となり接触しない。磁片に重ねた磁片が面接触する構造となっている。
【考案が解決しようとする課題】
【０００３】　上記従来構造は図１の通りで図１（ａ）は分割コアＡ、Ｂを分割箇所Ａ１、Ｂ１側から見たもの、図１（ｂ）は正面から見たもので図１（Ｃ）はＡ２、Ｂ２側からみたものである。図２は図１のコアを１枚ずつ分けたものである。
【０００４】　上記従来のコアの構造は形状がドーナツを半割りさせた形状のために歩留まりが悪く使用材の３０〜４０％程度が歩留まりである。そのために部品コストが高くなる。
【０００５】　またドーナツを半割りした形状のコアはプレス加工を行ったとき、ひねりやソリが生じる。そのために積層させたとき、そり、ひねりのためにかんごうが確実にいかず隙間の調整で苦慮している現状である。
【０００６】　そのため、磁片のそり、ひねりが存在しても確実にかんごうさせるために１枚ずつ積層する間にシールを貼付したり、かんごう時のがたを多くもうけたりしている。このために接触時の磁気抵抗値が大きくなり残留電流が悪くなり、これを解決させるために多くの鉄心を使用したりシールド増やしたりしている。そのために分割型変流器の製品価格は高くなっている。
【問題を解決する為の手段】
【０００７】　上記の目的を達成するため、本考案は帯状の板を短冊状に切断し、その切断した磁片をコアとして使用する。１つのＣＴではこのコア片を４、８、１２と４の倍数で鉄心を構成する。最小枚数４枚のときは１枚の磁片あたり両端部でたの磁片と面接触させるようにした。これにより磁片は４枚使用するが４箇所の磁片どうしの接触箇所をもつことになる。磁片の積層方向で隣の接材は低コストの紙ないしは樹脂材を使用することにより、１枚の磁片で２つの分割箇所の面接触を負担させることにより磁路の平均透磁率を向上させた事を特徴とするものである。
【実施例】
【０００８】　以下本考案の実施例について説明する。図１は本考案の図である。コア部材１、２、３、４とコイル５より成り立っている。部材１は磁片１ａと樹脂１ｂ、磁片１ｃ、樹脂１ｄより構成されている。樹脂１ｂ、１ｄは磁片１ａ、１ｃよりも短い。部材２も部材１と同じように２ｂ、２ｄが磁片、２ａ、２ｃが樹脂である。磁片２ａの先端箇所２ｂ（ａ）と２ｂ（ｂ）は１部材の磁片１ｃと１ａの間に侵入し、１ｃと１ａに接触する。【０００９】これに対して図２は従来の構成図である。部材６，７，８，９より構成されている。部材６は６ａ、６ｂ、６ｃ、６ｄの磁片より構成されている。
部材７の構成も７ａ〜７ｄとも磁片より構成されている。部材７の磁片７ａは一方の先端のみが部材６の６ｂと面接触する。部材８とは部材７の磁片７ｂを介して部材８の磁片と面接触する。これより従来の構成は磁路を一周するのに８箇所の面接触が必要である。また最低８枚の磁片が必要である。これに対して本考案は磁路の一周では４枚の磁片で済みしかも最低枚数は４枚ですむ。
【考案の効果】
【００１０】　図２の従来方式の構成からなる閉磁路としての平均透磁率はμｅ＝１００００〜２００００であるが図２の構成では２００００〜３００００となる。この方式を分割型零相変流器のコア及びシールドに利用すると残留電流の低減が計れ、分割型変流器では外部磁界の影響が小さくなり、比誤差、位相角誤差の低減が計ることが出来る。従来並みの性能にする場合には、鉄心の使用量が５０％近く削減でき低コスト化が可能となる。鉄心は短冊形状としたために歩留まりもよく省資源が図れる。
【図面の簡単な説明】
【図１】図１は本考案の構成図である。
【図２】図２は従来の短冊磁片を使用した分割ＣＴの部品構成図である。
【符号の説明】
１、２、３、４は　本考案のＣＴに使用する部材で同一品　１ａ、１ｃ、２ａ、２ｃ　は磁片で１の上面図　２ｂ（ａ）、２ｂ（ｂ）は磁片２ｂの先端部　１ｂ、１ｄ、２ａ、２ｃは樹脂　５はコイル　６、７、８、９は従来品部材　６ａ、６ｂ、６ｃ、６ｄは磁片
【図１】
0003099308.tif 000003
【図２】
0003099308.tif 000004
(57)【要約】
【課題】　コンドームの電動嵌め輪の提供。
【解決手段】　嵌め輪の一端の突起部分内に小型モータ、電池及び導電バネ片等の振動装置が取り付けられ、突起部の一端のフランジ内側に導電バネ片が収容され、導電バネ片の一端が電池と接続され、もう一端がモータ側面に未接触とされ、フランジが押されて内に凹むとき、その内側の導電バネ片がモータ側面に接触して電源を起動し嵌め輪を振動させる。平時に該嵌め輪は単独で男性性器に套設されて使用可能で、またコンドームに套設して使用することもでき、男性機能不全を改善すると共に、コンドーム使用に対する興味関心を促し不当な性病やエイズの感染を防止する。
【選択図】　　　　図１
0003099381.tif 000002
【実用新案登録請求の範囲】
【請求項１】
　円環状を呈する嵌め輪の一端の突起部内部に小型モータ、電池及び導電バネ片が取り付けられ、モータの前縁の回転子が偏心状を呈し、モータの後端のバネ片が電池の一つの極と接触し、突起部の一端のフランジの内側の導電バネ片の一端が電池のもう一極に接続され、該導電バネ片のもう一端がモータと未接触とされ、該フランジが押圧されて内側に凹むと、その内側の導電バネ片がモータの側面に接触して電源が起動されて嵌め輪が振動することを特徴とする、コンドームの電動嵌め輪。
【請求項２】
　請求項１記載のコンドームの電動嵌め輪において、電動嵌め輪が男性性器に装着されて使用可能であるほか、コンドームに套設して使用可能とされたことを特徴とする、コンドームの電動嵌め輪。
【考案の詳細な説明】
【技術分野】
【０００１】
　本考案は一種のコンドームの電動嵌め輪に係り、特に、コンドームに套設される嵌め輪であり、該嵌め輪内に小型モータ及び電池を具えた振動装置が取り付けられ、男性機能不全を改善するだけでなく、コンドーム使用への関心を高め、性病及びエイズの蔓延防止に効果を有するコンドームの電動嵌め輪に関する。
【背景技術】
【０００２】
　統計によると、世界のエイズ患者は青年、壮年が主であり、そのうち１５歳から２０際の若者が５分の１を占める。台湾では今年９月末のエイズ患者数は３４２２人で、そのうち９割は性行為による感染者であり、４割近くの患者が２０から２９歳の若者である。このことは若者の性観念の開放に正確な性知識が付随していないことを示している。このためエイズ防止の宣伝活動も行なわれており、性行為の前のコンドームの使用が推奨されているが、理想的な宣伝効果を得るには至っていない。
【考案の開示】
【考案が解決しようとする課題】
【０００３】
　本考案の主要な目的は、一種のコンドームの電動嵌め輪を提供することにあり、それはコンドームの一端に套設され、嵌め輪の突起部内に小型モータ、電池及び導電バネ片からなる振動装置が取り付けられ、嵌め輪がコンドームに套設される時、嵌め輪の突起部のフランジを押圧すると、導電バネ片の一端がモータの側面に接触して電源と導通し、振動の機能を達成するものとする。
【０００４】
　本考案のもう一つの目的は、一種のコンドームの電動嵌め輪を提供することにあり、それは、単独で男性性器に装着して使用できるものとする。
【課題を解決するための手段】
【０００５】
　請求項１の考案は、円環状を呈する嵌め輪の一端の突起部内部に小型モータ、電池及び導電バネ片が取り付けられ、モータの前縁の回転子が偏心状を呈し、モータの後端のバネ片が電池の一つの極と接触し、突起部の一端のフランジの内側の導電バネ片の一端が電池のもう一極に接続され、該導電バネ片のもう一端がモータと未接触とされ、該フランジが押圧されて内側に凹むと、その内側の導電バネ片がモータの側面に接触して電源が起動されて嵌め輪が振動することを特徴とする、コンドームの電動嵌め輪としている。
　請求項２の考案は、請求項１記載のコンドームの電動嵌め輪において、電動嵌め輪が男性性器に装着されて使用可能であるほか、コンドームに套設して使用可能とされたことを特徴とする、コンドームの電動嵌め輪としている。
【考案の効果】
【０００６】
　本考案のコンドームの電動嵌め輪は、単独で使用されて男性機能不全を改善するだけでなく、コンドーム使用の回数を増加し、性行為による性病やエイズの感染を防止する。本考案の実用効果はあきらかであり、また、その構造はその出願前に頒布された刊行物に記載がなく、また公開使用もされていないため、新規性を有している。
【考案を実施するための最良の形態】
【０００７】
　図１及び図２を参照されたい。本考案の電動嵌め輪１は、円環状を呈し、その一端の突起部１１内部に小型モータ１２、電池１３及び導電バネ片１４が取り付けられている。そのうち、モータ１２の前縁の回転子１２１は偏心状を呈し、回転時に振動機能を発生する。モータ１２の後端にバネ片１２２（マイナス極）が設けられて電池１３のプラス極と接触し、突起部１１の一端のフランジ１１１の内側に導電バネ片１４があり、その一端が電池１３のマイナス極に接続され、もう一端がモータ１２と未接触とされ、電源起動時に、手で該フランジ１１１が押圧され並びにフランジ１１１が内側に凹まされる（図３）と、その内側の導電バネ片１４がモータ１２の側面（プラス極）に接触して電源が起動され、嵌め輪１が振動する。
【０００８】
　平時に該電動嵌め輪１は直接男性性器に装着されて使用可能であり、また、図４に示されるように、該嵌め輪１はコンドーム２に套設して使用されうる。
【図面の簡単な説明】
【０００９】
【図１】本考案の斜視図である。
【図２】本考案の嵌め輪の断面図である。
【図３】本考案の嵌め輪の断面動作表示図である。
【図４】本考案の嵌め輪をコンドームに装着した状態を示す斜視図である。
【符号の説明】
【００１０】
１　嵌め輪　　　　　１１　突起部　　　　１１１　フランジ
１２　モータ　　　　１２１　回転子　　　１２２　バネ片
１３　電池　　　　　１４　導電バネ片　　２　コンドーム
【図１】
0003099381.tif 000003
【図２】
0003099381.tif 000004
【図３】
0003099381.tif 000005
【図４】
0003099381.tif 000006
(57)【要約】
【課題】　浮き止め、水位計や給水、排水手段を必要とせず、コストが安く、取扱も簡単な食品加熱・保温器を提供する。
【解決手段】　内底面に複数の小突起４を設けた釜１と、その釜１の下方に温度調節手段を備えた電熱による加熱部５と、その加熱部５の電熱を電源に接続する手段（コンセント６等）とを設け、食品７を入れ、または、封入した容器８を、釜１内に入れて小突起４上に載置し、食品７を加熱部５で加熱または保温することを可能とする。
【選択図】　　　　図１
0003099384.tif 000002
【実用新案登録請求の範囲】
【請求項１】
内底面に複数の小突起を設けた釜と、該釜の下方に温度調節手段を備えた電熱による加熱部と、該加熱部の電熱を電源に接続する手段とを設けてなり、食品を入れ、または、封入した容器を、前記釜内に入れて前記小突起上に載置し、前記食品を前記加熱部で加熱または保温することを可能とした食品加熱・保温器。
【考案の詳細な説明】
【技術分野】
【０００１】
　この考案は、食品を加熱または保温する器具に関するものである。
【背景技術】
【０００２】
　食品を加熱または保温する器具としては、特開平１０−２７６９０４号公報に開示された電気温せん器がある。
　その器具は、電気熱源を備えた湯槽に給水し、食品を入れたホテルパンを湯槽に取付け固定し、電気熱源で湯槽内の水を加熱して湯とし、その湯で食品を加熱または保温するものである（特許文献１参照）。
【特許文献１】特開平１０−２７６９０４号公報（特許請求の範囲、図面）
【考案の開示】
【考案が解決しようとする課題】
【０００３】
　上記の従来の湯せん器は、ホテルパンの浮き止めや水位計を設け、給水、排水手段を必要とし、コストがかかり、取扱に手数がかかる。
　この考案は、浮き止め、水位計や給水、排水手段を必要とせず、コストが安く、取扱も簡単な食品加熱・保温器を提供することを目的とする。
【課題を解決するための手段】
【０００４】
　内底面に複数の小突起を設けた釜と、その釜の下方に温度調節手段を備えた電熱による加熱部と、その加熱部の電熱を電源に接続する手段とを設け、食品を入れ、または、封入した容器を、前記釜内に入れて前記小突起上に載置し、前記食品を前記加熱部で加熱または保温することを可能とする。
【考案の効果】
【０００５】
　この考案に係る食品加熱・保温器は、浮き止め、水位計や給水、排水手段を必要とせず、コストが安く、また、食品を入れた容器や食品を封入した缶や壜等を釜内に入れて加熱手段に加熱するだけでよいので、取扱が簡単で、手数がかからない。
【考案を実施するための最良の形態】
【０００６】
　この考案に係る食品加熱・保温器の実施の形態を図面に基づき説明する。
　上方が開口した釜１の内面の側面部２および底面部３は金属等伝熱材で構成し、底面部３の上面に複数の小突起４を設ける。
【０００７】
　小突起４の高さは、限定しないが、１〜１．５mm位が好ましい。
　釜の外面は、図示省略したが、断熱材で覆うのが好ましい。
【０００８】
　釜１の下方には、サーモスタット等の温度調整手段（図示省略）を備える電熱による加熱部５を設ける。
　加熱部には、コンセント６または電線コード等の電源接続手段を設ける。
【０００９】
　この食品加熱・保温器の使用は次のとおりにする。
　すなわち、釜１内に、加熱または保温しようとする食品７、例えば牛乳、味噌汁、スープ、ポタージュ、ソース等を入れた容器８を入れる。容器８の底は釜１の底面部３の小突起４で支えられ、底面部３との間に小突起４の高さだけの間隔を開ける。
【００１０】
　次いで、電源接続手段で電源に接続し、加熱部５の熱源を加熱させる。加熱温度は、容器８内の食品の種類によって調整する。
　釜１の底面部３と容器８の底との間の間隔および釜１の側面内面と容器８の側面外面との間の間隔の空気が加熱され、その温度で容器内の食品７が加熱または加温される。
【００１１】
　予め設定した時間が経過し、食品７が所望の温度の達すると、容器８を釜１から取り出す。
　食品７を保温する場合には、予め温度を調節し、その状態を所望の時間まで維持する。　　　
【００１２】
　金属、ガラス、プラスチックの容器９に食品が封入されている場合には、その食品を容器８に移し変えることなく、それらの容器９を、図２に示すように、釜１の小突起４の上に載置して、上記の要領で加熱またと保温してもよい。
【００１３】
　釜１内に入れた食品の加熱、保温効率を高めるために、釜１に蓋１０を設けるのが好ましい。
　蓋１０は、着脱自在のものでも、または、一端を釜１に蝶番等で係止したものでもよい。
【図面の簡単な説明】
【００１４】
【図１】食品加熱・保温器の要部を断面した使用状態説明図である。
【図２】食品加熱・保温器の要部を断面した他の使用状態説明図である。
【符号の説明】
【００１５】
　　　　１　　釜
　　　　２　　側面部
　　　　３　　底面部
　　　　４　　小突起
　　　　５　　加熱部
　　　　６　　コンセント
　　　　７　　食品
　　　　８　　容器
　　　　９　　容器
　　　　１０　蓋
【図１】
0003099384.tif 000003
【図２】
0003099384.tif 000004
(57)【要約】
【課題】従来の青果物・鶏卵用包装容器及び緩衝材は、新聞紙、雑誌等の古紙とクラフトパルプを原料に用いて抄造した軟質厚紙製のパッケージ部材にて構成されていたので、嵩高感に乏しく、延いては嵩高感からくる柔軟性に欠ける課題があった。
【解決手段】本考案は新聞紙、雑誌等の古紙とノットパルプを原料とした軟質厚紙製パッケージ部材にて青果物・鶏卵用容器及び緩衝材を製作したもので、該包装容器及び中・上敷にノットパルプの靭皮繊維が混入されて、包装容器の表裏面にも靭皮繊維が散在し露出して設けて、包装容器に青果物を収納したときこの靭皮繊維にて青果物・鶏卵を優しく柔軟に包被できるようにした。
【選択図】　　　　図２
0003099382.tif 000002
【実用新案登録請求の範囲】
【請求項１】
　新聞紙、雑誌等の古紙とノットパルプを原料として抄造した軟質厚紙製のパッケージ部材にて青果物・鶏卵用包装容器及び緩衝材を製造したもので、該包装容器及びその中・上敷にノットパルプの靭皮繊維が混入されて、包装容器の表裏面にも靭皮繊維が散在し露出して設けられていることを特徴とするノットパルプを原料に使用した青果物・鶏卵用包装容器及び緩衝材。
【考案の詳細な説明】
【技術分野】
【０００１】
　本考案は、ノットパルプを原料に使用した青果物・鶏卵用包装容器に関し、詳しくは新聞紙等の古紙とノットパルプを原料として用いて抄造した軟質厚紙製のパッケージ部材にて青果物・鶏卵包装容器及び緩衝材を製造したことを特徴とするノットパルプを原料に使用した青果物・鶏卵用包装容器及び緩衝材に関するものである。
【背景技術】
【０００２】
　近年、健康、長寿を維持する上、身体に最も良く必要とされる青果物・鶏卵の需要の増加に随伴して、それを梱包するための軟質厚紙製のパッケージ部材にて造られた青果物・鶏卵用包装容器及び緩衝材が大量に生産されている。
【０００３】
　しかるに、従来の青果物・鶏卵用包装容器は新聞紙、雑誌その他書物等の古紙と木材などの植物繊維、即ちクラフトパルプ（未晒バージンパルプとも謂う）を原料に用いて抄造した軟質厚紙製のパッケージ部材を使用して青果物・鶏卵用包装容器及び緩衝材が製造されていた。
【０００４】
　したがって、図１に示すように従来の青果物用包装容器Ａに使用されている軟質厚紙製のパッケージ部材は無模様、無柄の、所謂無地からなり、表面はさらさらしており、且又裏面はざらざらしているものの、表面同様無地の素材からなる。また、鶏卵包装容器に於ても、青果物包装容器と同じ素材で造られていて、同じ条件であることは少しも変わりない。尚又、図３に示すように青果物・鶏卵包装容器共該包装容器間に於いて、緩衝材としての役目を果たす中・上敷Ｃの素材も上記包装容器の素材と同様であることは勿論である。
【０００５】
　よって、上記従来の青果物・鶏卵用包装容器に於て、嵩高感を求めようとすると、必然的に原料つまり、クラフトパルプを沢山使用しなければならなかった。しかしながら、クラフトパルプを沢山使用すると原価が高くなるなどの問題点が生じた。
【特許文献１】特許３２８２６７１号
【考案の開示】
【考案が解決しようとする課題】
【０００６】
　解決しようとする問題点は、青果物・鶏卵を最も優しく柔らかく包被してくれる包装容器として求められる点である。つまり軟質厚紙製パッケージ部材の嵩高感からくる柔軟性の問題点を、本考案の包装容器は根本的に解決することに成功した。
【課題を解決するための手段】
【０００７】
　本考案は、新聞紙、雑誌等の古紙とノットパルプを原料として抄造した軟質厚紙製のパッケージ部材にて青果物・鶏卵用包装容器及び緩衝材を製造したもので、該包装容器及びその中・上敷にノットパルプの靭皮繊維が混入されて、包装容器の表裏面にも靭皮繊維が散在し露出して設けられていることを特徴とするノットパルプを原料に使用した青果物・鶏卵用包装容器及び緩衝材に関するものである。
【考案の効果】
【０００８】
　本考案は新聞紙等の古紙とノットパルプを原料とした軟質厚紙製のパッケージ部材にて青果物・鶏卵用包装容器及び緩衝材を製造したもので、該包装容器及び中・上敷にノットパルプの靭皮繊維が混入されて、上記包装容器の表裏面にも靭皮繊維が散在し露出されて設けられている故、外観上一見して嵩高感を抱かせる。且又、嵩高感からくる柔軟性に富むので、包装容器に収納したとき青果物にノットパルプの靭皮繊維が接触して青果物・鶏卵を優しくソフトに包被するので、輸送上損傷させる虞はない実用上有益な効果がある。
【考案を実施するための最良の形態】
【０００９】
　本考案のノットパルプを原料に使用した青果物・鶏卵用包装容器及び緩衝材を実施しするための最良の形態を別紙図面を参照しながら詳細に説明する。
【実施例１】
【００１０】
　新聞紙、雑誌、その他書物などの古紙とノットパルプを原料にして抄造して、軟質厚紙製の青果物・鶏卵用の包装容器、及び中・上敷に使用するパッケージ部材を製造する。
【００１１】
　上記パッケージ部材にて青果物・鶏卵用包装容器及び緩衝材を作製する。このとき図２に示すようにノットパルプの靭皮繊維１が包装容器Ｂ及び中・上敷Ｄ中に混入しており、且又包装容器Ｂ及び中・上敷の表裏面にも靭皮繊維１が散在し露出して設けられている。このように構成した包装容器へ青果物・鶏卵を収納したとき、ノットパルプの靭皮繊維に青果物・鶏卵が接触して優しく柔軟に包被される。
【００１２】
　次に本考案の青果物・鶏卵用包装容器及び緩衝材に使用する軟質厚紙製パッケージ部材に古紙と共に混入されているノットパルプについて述べる。
【００１３】
　ノットパルプの原料は木材チップである。即ち、パルプ製造工程のパルプ精選工程で、製紙用パルプと特殊用途用パルプに選別し、特殊用途用パルプは更に加工・選別を行い製造したパルプを謂う。その工程フローは以下の表１に記載の通りである。
【００１４】
【表１】
0003099382.tif 000003
【産業上の利用可能性】
【００１５】
　本考案は青果物・鶏卵に優しくソフトに包被できる所謂ノットパルプを原料に使用した軟質厚紙製のパッケージ部材にて包装容器を製作したもので、ノットパルプの靭皮繊維が青果物を優しくソフトに包被して緩衝効果を齎してくれるので、梨、リンゴ、桃、柿、トマト、柑橘など青果物を生産している農家にとって甚だ重宝がられ広く利用される。
【図面の簡単な説明】
【００１６】
【図１】従来の青果物包装容器の斜視図である。
【図２】本考案の青果物包装容器の斜視図である。
【図３】従来の中・上敷の１部欠截した斜視図である。
【図４】本考案の中・上敷の1部を欠截した斜視図である。
【符号の説明】
【００１７】
　Ａ　　　従来の青果物用包装容器
　Ｂ　　　本考案の青果物用包装容器
　Ｃ　　　従来の中・上敷
　Ｄ　　　本考案の中・上敷
　１　　　靭皮繊維
　２　　　青果物
【図１】
0003099382.tif 000004
【図２】
0003099382.tif 000005
【図３】
0003099382.tif 000006
【図４】
0003099382.tif 000007
(57)【要約】　　　（修正有）【課題】固形石鹸を、最後の泡まで残さずにきれいに使えるようにする。【解決手段】固形石鹸は残り少なくなると、やわらかくなったり、掴みにくくなったり、最後まで使いきるのが難しかった。これを解決するためには固形石鹸イの中芯に心材ロを入れて、固形石鹸を使った最後に心材が残るようにした。残った心材は洗面器を洗ったり、風呂場を掃除するのに使い塵箱に捨てる。【洗択図】　　図１【実用新案登録請求の範囲】
【請求項１】
　固形石鹸イに心材ロを埋め込み、固形石鹸イを使った最後に心材ロが残り、固形石鹸の最後の泡まで使える石鹸。
【考案の詳細な説明】
【考案の詳細な説明】
【考案が解決しようとする課題】
【０００１】　従来、固形石鹸は最後まで残らず使うにはどうしても難しく、汚く石鹸箱を汚したり、洗面所を汚したり、風呂場を汚したりして問題点を有していた。
【課題を解決するための手段】
【０００２】　上記目的を達成するために、固形石鹸の中に心材を入れて、使いしだいに石鹸が少なくなっていき、最後に心材が残り残った心材を廃材処理する。
【考案の効果】
【０００３】　従来の固形石鹸は残り少なくなると、やわらかくなって掴みにくくなったり、石鹸箱の底にこびりついたりしていたが、心材を入れることにより最後に心材が残るので、固形石鹸を最後まで使いきることができる。
【図面の簡単な説明】
【図１】　固形石鹸の平面図である。
【図２】　Ａ〜Ｂの断面図である。
【図３】　Ｃ〜Ｄの断面図である。
【符号の説明】
　　　　イ　　固形石鹸
　　　　ロ　　心材
【図１】
0003099329.tif 000002
【図２】
0003099329.tif 000003
【図３】
0003099329.tif 000004
(57)【要約】【課題】ゴルフクラブヘッドの構造改良を提供する。【解決手段】数枚のアセンブリ中空体を採用し、カバー１１、ベース１２、ロッド部１３、撃球フェースプレート１４などから形成される。撃球フェースプレート１４の背面に、圧縮スプリング１５が球の打つ方向に沿って設けられる。圧縮スプリング１５の一端を球を打つフェースプレート１４の背面の真中に溶接し他端に、押しバー１６をセットする。押しバー１６は、圧縮スプリング１５との接合位置から、両側へ延ばされ、球を打つフェースプレート１４の背面に溶接する。圧縮スプリング１５は球を打つフェースプレート１４の背面と押しバー１６との間につっかいをし、ボールにあたる瞬間に、球を打つフェースプレート１４は衝撃力で、少し凹入し、圧縮スプリング１５を押す。その後圧縮スプリング１５で、球を打つフェースプレート１４がボールに反発の力を施し、球の飛行距離を向上させる。【選択図】　　図１
0003099315.tif 000002
【実用新案登録請求の範囲】
【請求項１】
数枚のアセンブリ中空体を採用し、球を打つフェースプレートの背面に、圧縮スプリングをセットし、圧縮スプリングは球の打つ方向に沿って設けられ、その一端は球を打つフェースプレートの背面の真中に溶接され、もう一端には、押しバーがセットされ、押しバーの両側は球を打つフェースプレートの背面に溶接され、圧縮スプリングが球を打つフェースプレートの背面を付勢していることを特徴とするゴルフクラブヘッド。
【考案の詳細な説明】
【０００１】
【考案の属する技術分野】
本案はゴルフクラブヘッドに関する。
【０００２】
【従来の技術】
ゴルフクラブヘッドの製造について、伝統が精密鋳造で、数枚をアセンブリするが、近年以来、技術の進歩で、業界は通常、冷鍛造、ローリング成型したあとで、溶接接合又は一体化成型という製造方式を採用する。製造の技術は日々に進歩しているばかりでなく、製品の形体及び規格も多様化になる。そこで、ゴルフクラブヘッドの形体及び規格は多様化になるが、ユーザの希望はやはり球を打つときに、精密正確かつ遠くに、出来るだけホールまで接近させ、ホールに入れるために必要な撃球の回数を低降させることにある。特に、撃球の精密正確度が把握できる、優れた技術を持つ選手級のユーザにとっては、どういうふうに、球を遠く打つ以外、撃球の安定度にも影響しないことは追求の目標だと言え、業界の努力、開発の方向だと分かる。
【０００３】
球を遠く打つ以外、撃球の安定度にも影響しないために、一番重要なのはヘッドの撃球面の弾性を向上させることである。現今、ゴルフクラブヘッドの材質は、冷鍛造、ローリング成型の優れた延性、製造コスト、溶接加工技術の難易など要因を考えるために、主に、ステンレス材質を選択する。ステンレス材質は硬いので、相対的に、撃球面の弾性が悪い。業界はそんな材質の招く制限を突破するために、ステンレス材質の代わりに、チタン合金、又は稀な貴金属で、撃球面を作る。
【０００４】
【考案が解決しようとする課題】
しかしながら、上述のような異性材質のゴルフクラブヘッドの製作は二種類の材料の異なる融点、硬度など特性のせいで、溶接接合の失敗率が甚だ高い。業界は撃球面とヘッド本体をしっかり結ぶために、溶接の伝統製法を棄てて、凹凸嵌め込みの加工方式を採用する。これは残念ながら、必要な精密度が高いので、技術の達成は非常に難しい。ひどいのになると、その結合箇所はいつも、撃球のショックで脱落して、産業化することが難しい。つまり、異性金属材質で、撃球面の弾性を向上し、撃球の距離を増加するという技術思想は明らかに、技術の困難度があり、達成することが出来ない。
【０００５】
したがって、本案の主な目的はゴルフクラブヘッドの構造改良を提供することにある。
【０００６】
【課題を解決するための手段】
上述の目的を達成するために本考案の請求項に記載のゴルフクラブヘッドは、数枚のアセンブリ中空体を採用する。球を打つフェースプレートの背面に、圧縮スプリングをセットし、そんな圧縮スプリングは球の打つ方向に沿って設けられる。その一端は球を打つフェースプレートの背面の真中に溶接し、もう一端には、押しバーをセットする。押しバーの両側は球を打つフェースプレートの背面に溶接し、そうすることで、圧縮スプリングが球を打つフェースプレートの背面につっかいをする。
【０００７】
【考案の実施の形態】
以下、本考案の実施例を図面に基づいて説明する。
図１に示すように、本考案の一実施例によるゴルフクラブヘッド１は数枚のアセンブリ中空体を採用する。同様に、カバー１１、ベース１２、ロッド部１３、撃球フェースプレート１４などの要素から形成される。それも、各種の従来既存の金属材料で作られる。
【０００８】
図２、図３に示すように、撃球フェースプレート１４の背面に、圧縮スプリング１５をセットする。この圧縮スプリング１５は螺旋形で、球の打つ方向に沿って設けられ、適度な回り数及び弾性を具有する。圧縮スプリング１５の一端を球を打つフェースプレート１４の背面の真中に溶接する。もう一端に、押しバー１６をセットする。押しバー１６は適度な長さを持ち、圧縮スプリング１５との接合位置から、両側へ延ばされ、球を打つフェースプレート１４の背面に溶接する。そうすると、圧縮スプリング１５は球を打つフェースプレート１４の背面と押しバー１６との間につっかいをする。しかも、圧縮スプリング１５の各コイルの間に、微小の弾性ギャップを予め用意して、球を打つフェースプレート１４に回復弾性の作用を提供し、その回復係数（Ｃ．Ｏ．Ｒ）を向上させる。
【０００９】
本案の使用については、ユーザは球を打つときに、球を打つフェースプレート１４がボールにあたる瞬間に、球を打つフェースプレート１４が衝撃力で、少し凹入し、圧縮スプリング１５を押す。衝撃のあとで、圧縮スプリング１５が快速に原状に戻るので、球を打つフェースプレート１４がボールに反発の力を施し、有効的に、球の飛行距離を向上させる。
【００１０】
本案は球を打つフェースプレート１４の背面に、圧縮スプリング１５をセットする。球を打つフェースプレート１４がボールにあたる瞬間に、出て来る凹入は衝撃のあとで、快速に反発するので、球を打つフェースプレート１４の回復係数を十分に向上させ、高い回復係数で、球を打つ距離を有効的に増加させる。その他、本案は押しバー１６が圧縮スプリング１５を押す圧制力を調整することにより、圧縮スプリング１５の各コイルの間における弾性ギャップを変更する。よって、球を打つフェースプレート１４の弾性効果が調整可能で、使用の価値も十分発揮できる。
【図面の簡単な説明】
【図１】本考案の一実施例によるゴルフクラブヘッドを示す立体分解図である。
【図２】本考案の一実施例によるゴルフクラブヘッドを示す断面図である。
【図３】図２のＡ−Ａラインに沿って、見た断面図である。
【符号の説明】
１　　ゴルフクラブヘッド
１１　　カバー
１２　　ベース
１３　　ロッド部
１４　　球を打つフェースプレート
１５　　圧縮スプリング
１６　　押しバー
【図１】
0003099315.tif 000003
【図２】
0003099315.tif 000004
【図３】
0003099315.tif 000005
(57)【要約】　　　（修正有）【課題】宣伝広告を簡単かつ安全に取り替えることができる宣伝広告用ディスプレイ装置を提供する。【解決手段】宣伝広告を貼るスクリーン１と、該宣伝広告を掲示する抜き窓６と、前記スクリーンをロール状に巻き取り・巻き戻す巻取り・巻戻し装置３とを有し、該巻取り・巻戻し装置は前記スクリーンを所定の場所で停止させるストッパー機構を有することを特徴とする宣伝広告ディスプレイ装置。好ましくは、前記宣伝広告を裏面に両面テープを取り付けたパネルとする。【選択図】　　図１
0003099311.tif 000002
【実用新案登録請求の範囲】
【請求項１】
宣伝広告を貼るスクリーンと、該宣伝広告を掲示する抜き窓と、前記スクリーンをロール状に巻き取り・巻き戻す巻取り・巻戻し装置とを有し、該巻取り・巻戻し装置は前記スクリーンを所定の場所で停止させるストッパー機構を有することを特徴とする宣伝広告ディスプレイ装置。
【請求項２】
前記宣伝広告が裏面両面テープを取り付けたパネルであることを特徴とする請求項１に記載の宣伝広告ディスプレイ装置。
【考案の詳細な説明】
【０００１】
【考案の属する技術分野】
本考案は、デパートなどの店頭に設置する横断幕などの宣伝広告のディスプレイ装置に関する。
【０００２】
【従来の技術】
デパートなどの店頭に設置する横断幕などの宣伝広告は、セール内容の変更の度に内容を変更する必要があり、従来、以下のような問題点があった。
１）セール内容の変更の度に、横断幕などの宣伝広告を全面的に作り直す必要があり、そ　　の交換に多大な労力が必要だった。
２）宣伝広告を店頭の高い位置に設置するためには、脚立などを用いて危険な作業を伴っ　　ていた。
【０００３】
【考案が解決しようとする課題】
本考案は、前記のような従来技術の問題点を解決し、宣伝広告を簡単かつ安全に取り替えることができる宣伝広告用ディスプレイ装置を提供することを課題とする。
【０００４】
【課題を解決するための手段】
本考案は、ロール状に巻取り巻き戻しを行うスクリーンを設け、このスクリーンに宣伝広告を貼ることによって、宣伝広告を簡単かつ安全に取り替えることができる宣伝広告用ディスプレイ装置を提供するものであり、その要旨は実用新案登録請求の範囲に記載した通りの下記内容である。
（１）伝広告を貼るスクリーンと、該宣伝広告を掲示する抜き窓と、前記スクリーンをロール状に巻き取り・巻き戻す巻取り・巻戻し装置とを有し、該巻取り・巻戻し装置は前記スクリーンを所定の場所で停止させるストッパー機構を有することを特徴とする宣伝広告ディスプレイ装置。
（２）前記宣伝広告が裏面に両面テープを取り付けたパネルであることを特徴とする（１）に記載の宣伝広告ディスプレイ装置。
【０００５】
【考案の実施の形態】
本考案の実施の形態を、図１および図２を用いて詳細に説明する。
図１は、本考案の宣伝広告用ディスプレイ装置の実施形態を例示する図である。
図１において、１はスクリーン、２は宣伝広告、３は巻取り・巻戻し装置、４はローラー、５は取っ手、６は抜き窓を示す。
図１は、宣伝広告の交換作業時の状態を示しており、スクリーン１の取っ手５を下方に引くことによって、スクリーン１が、巻取り・巻戻し装置３によって巻戻され、宣伝広告２は抜き窓６から下方の任意の高さまで下げることができる。宣伝広告２をスクリーン１から取り外して新たなものに交換した後、巻取り・巻き戻し装置３によって再度、スクリーン１を所定の位置まで上げることによって、簡単に宣伝広告２の交換を行うことができる。
【０００６】
これによって、従来のように、宣伝広告を変更する度に、横断幕などの宣伝広告を全面的に作り直す必要がなく、その交換を著しく容易にすることができる。また、宣伝広告の交換作業をし易い任意の高さで行うことができるので、従来のように脚立などを用いた危険な作業をなくすことができる。
宣伝広告は、例えば、パネル形式にし、裏面に取り付け取り外しが簡単にできるマジックテープ（登録商標）などの両面テープを取り付けることによって、スクリーンに容易に貼付することができるうえ、紙はもとより、布等の印刷物も簡単に貼付することができる。
【０００７】
図２は、スクリーンを所定の位置で停止させるストッパー機構を例示する図である。
図２において、１はスクリーン、２は宣伝広告、３は巻取り・巻戻し装置、４はローラー、５は取っ手、６は抜き窓、７はストッパーを示す。
図２は、宣伝広告２を抜き窓６に掲示している状態を示しており、スクリーン１は、ストッパー７によって巻取り・巻き戻し装置３の下端に係止されている。なお、本考案においては、ストッパーの動作機構は問わず、例えば、電動式のＯＮ−ＯＦＦ制御によって、移動・停止させてもよい。
【０００８】
【考案の効果】
本考案によれば、ロール状に巻取り巻き戻しを行うスクリーンを設け、このスクリーンに宣伝広告を貼ることによって、宣伝広告を簡単かつ安全に取り替えることができる宣伝広告用ディスプレイ装置を提供することができ、産業上有用な著しい効果を奏する。
【図面の簡単な説明】
【図１】本考案の宣伝広告用ディスプレイ装置の実施形態を例示する図である。
【図２】本考案に用いるスクリーンを所定の位置で停止させるストッパー機構を例示する図である。
【符号の説明】
１・・・スクリーン、２・・・宣伝広告、３・・・巻取り・巻戻し装置、
４・・・ローラー、５・・・取っ手、６・・・抜き窓、７・・・ストッパー
【図１】
0003099311.tif 000003
【図２】
0003099311.tif 000004
(57)【要約】　　　（修正有）【課題】入浴時ジャッキに掛かる入浴者の負荷を相殺し、介護負担の軽減と、安全且つ、容易に取扱できる入浴介護機器の提供。【解決手段】ウォータ・ウェイト１を長方形の箱形で昇降ジャッキ２の後部に配し入浴者の体重に相当する水量を給水し、ジャッキに掛かる負荷をつるべ状で軽減し、介護者の操作負担の減少と取扱を容易にする。【選択図】　　図１
0003099347.tif 000002
【実用新案登録請求の範囲】
【請求項１】
ウォータ・ウェイト（１）は長方形の箱型容器で、バルブ操作で入浴者の体重に合わせ給水し、つるべ状態でジャッキ（２）にかかる負担を減少しハンドル操作を１キログラム以下に軽減する昇降装置。
【考案の詳細な説明】
【０００１】
［考案の属する技術分野］
本考案は入浴者に対し介護者の動作を軽減する装置に係わるものであり、詳しくは入浴介護に関わるものである。
【０００２】
［従来の技術］
この種の介護では固定された浴槽へ、介護者は入浴者をベッドより車椅子に乗せ更衣室に移し着衣を外し入浴者を抱え入浴を行う。
【０００３】
［考案が解決しようとする課題］
従来の技術で述べたように入浴介護の負担は大きく、且つ多くの人員を必要とする問題点があり本考案は従来の方法を簡略し介護者の負担と人員の減少を計る装置を提供するものである。
【０００４】
［問題を解決しようとする手段］
上記目的を達成するため本考案に於ける入浴装置は、槽内に入るＬ型入浴床を浴槽外に設けられた直列２基のジャッキに固定し昇降作業をおこなう、この昇降時の高負担をウォータ・ウェイトを設け入浴者の体重に相当する水量で調整しハンドル操作負担の軽減を計る。
【０００５】
［考案の実施の形態］
考案の実施の形態について図面を参照して説明する。
図１〜図３においてウォータ・ウェイト（１）は長方形の箱型容器で樹脂又は金属でなり、給・排水で重量（ｌ）を調整する。ジャッキ（２）は手動式直列２連で側面にＬ型入浴床（３）を取り付け、架台（４）の上部の滑車を介しウェイト（１）と連結し昇降ジャッキにかかる負荷を減少する。
【０００６】
浴槽本体（５）はステン材又は樹脂材のように耐錆性の材料とし、形状は長方形で、側面は垂直にし、入浴床が底部まで沈む構造とす。
【０００７】
［考案の効果］
本考案は上述とおり構成されているので次に記載する効果を奏する。
【０００８】
請求項１の装置については浴槽高５０センチと設定し、昇降ジャッキ（２）を浴槽面・後部上に配しＬ形入浴床（３）をジャッキ上部に固定する。ウォータ・ウェイト（１）はジャッキ後部に置き架台上部の滑車を介しロープでジャッキとつなぎ、つるべ状態で作動のため、ジャツキに掛かる負荷が減少しハンドル操作も軽く介護負担が大きく軽減される。
【図面の簡単な説明】
【図１】入浴機器全体の斜視図である。
【図２】入浴床上昇時の断面図である。
【図３】入浴床降下時の断面図である。
【符号の説明】
１　ウォータ・ウェイト
２　昇降ジャッキ
３　Ｌ形入浴床
４　架台
５　浴槽本体
【図１】
0003099347.tif 000003
【図２】
0003099347.tif 000004
【図３】
0003099347.tif 000005
【手続補正書】
【提出日】平成15年8月4日(2003.8.4)
【手続補正１】
【補正対象書類名】明細書
【補正対象項目名】実用新案登録請求の範囲
【補正方法】変更
【補正の内容】
【実用新案登録請求の範囲】
【請求項１】
［ウォータ・ウェイト（１）は長方形の箱形容器で浴槽後方へ位置し、昇降ジャッキ（２）の上部へ連結した吊り状、Ｌ形入浴床（３）は浴槽上部へ置き昇降ジャッキの上部に固定し、架台（４）の枠内を下降する昇降ジャッキにより浴槽底部に沈み入浴できる装置］
(57)【要約】【課題】従来、サーフボード、ボディーボード等使用時に起こる、ボードと身体との接触や衝突による、骨盤前部分、恥骨部分の打撲または擦り傷等を防ぐ対応策は無く、一部でウエットスーツの裏地に腰パットを取付ける場合もあるが、布地の性質やデザイン性の点に置いて使用することが出来ない場合が多かった。また、ウエットスーツや夏季に使用するボードショーツ等の下に、従来のウエットパンツを着用する事も可能だが布地が厚い為、足腰まわりの負担が大きくなってしまい、実用的ではなかった。【解決手段】骨盤前部分、恥骨部分にあたる箇所にクッション材を取付けた、本考案を使用することにより、ボード等との接触や衝突等を効果的に防ぐ事ができるようになる。また、基本となる布地に薄手の布地を使用することにより、足腰まわりの負担を軽減することが可能となるので、腰パットを取付けていない、または、取付ける事が出来ない既存のウエットスーツや、夏季に使用するボードショーツ等の使用時にも併用する事が出来るようになる。【選択図】　図１
0003099345.tif 000002
【実用新案登録請求の範囲】
【請求項１】
サーフボード、ボディボード等との接触、衝突等による骨盤前部分、恥骨部分の打撲や擦り傷等を防止するために、骨盤前部分、恥骨部分にあたる箇所に、クッションとなる素材を装着している。
【請求項２】
単体として使用可能であり、またウエットスーツ、ボードショーツ等との併用も可能である。
【考案の詳細な説明】
【０００１】
【考案の属する技術分野】
本考案は、けがを防止し、快適にスポーツするための水着に関する。
【０００２】
【従来の技術】
対応策が無い場合が多く、一部でウエットスーツに腰パットを、直接取付ていが、布地の性質やデザイン性の問題において、使用できない場合が多い。また、ウエットスーツを着用しない場合の対応策は無いのが、現状である。
既存のウエットパンツを着用する方法もあるが、厚手の布地を使用している為、足腰まわりへの負担が大きくなってしまい、実用的では無かった。
【０００３】
【考案が解決しようとする課題】
接触、衝突等による、骨盤前部分、恥骨部分の打撲、擦り傷等を防止すること。腰パッドを装着していない、または、装着できないウエットスーツ等の使用時に対応策が無いこと。
夏季などのウエットスーツを着用しない場合の対応策が無いこと。
従来のウエットパンツを使用すると、厚手の布地を使用している為、ウエットスーツ、ボードショーツ等と併用すると足腰まわりの負担が大きくなってしまう事。
【０００４】
【課題を解決するための手段】
基本となる布地型の骨盤前部分、恥骨部分にあたる箇所に、クッションとなる素材を取付ける事により、サーフボード、ボディボード等との接触や衝突による打撲、擦り傷等を効果的に防止する事ができる。
基本となる布地を薄手にすることにより、運動時の足腰まわりへの負担を軽減し既存のウエットスーツ、ボードショーツ等との併用も可能となる。
【０００５】
【考案の実施の形態】
薄手素材のウエットスーツ布地製、ショートパンツの骨盤前部分、恥骨部分に厚手素材のウエットスーツ布地をクッション材として取付ける。
【０００６】
【考案の実施の形態】
水着素材製のショートパンツの骨盤前部分、恥骨部分にクッションとなる素材を取付ける。
【０００７】
【考案の効果】
サーフボード、ボディボード等との接触や衝突は防ぐ事が出来ないため、従来はひどい打撲や擦り傷等を我慢する以外に方法が無く、実用的な策が無かったが本考案を使用することにより、けがを未然に防ぐ事が出来るようになります。
また、既存のウエットスーツや従来、対応策の無かった、夏季などに使用するボードショーツ等を使用する場合でも、本考案を使用することが可能な為、効果的に、けがを防止することが出来るようになります。
【図面の簡単な説明】
【図１】基本となる布地型の前身ごろ裏面、クッション材取付け部分を示した平面図
【図２】クッション材取付け部分を示した正面着用図
【図３】クッション材取付け部分を示した側面着用図
【符号の説明】
１　基本となる布地型
２　クッションとなる素材部分
【図１】
0003099345.tif 000003
【図２】
0003099345.tif 000004
【図３】
0003099345.tif 000005
【手続補正書】
【提出日】平成15年7月24日(2003.7.24)
【手続補正１】
【補正対象書類名】明細書
【補正対象項目名】実用新案登録請求の範囲
【補正方法】変更
【補正の内容】
【実用新案登録請求の範囲】
【請求項１】
サーフボード、ボディボード等との接触、衝突等による骨盤前部分、恥骨部分の打撲や擦り傷等を防止するために、骨盤前部分、恥骨部分にあたる箇所に、クッションとなる素材を装着しているショートパンツ。
【請求項２】
単体として使用可能であり、またウェットスーツ、ボードショーツ等との併用も可能な骨盤前部分、恥骨部分にあたる箇所にクッションとなる素材を装着しているショートパンツ。